(57)【要約】【課題】敷設中や使用中、破損の恐れも無く、また、敷設作業が容易に行え、経済的である草成育防止カバー及び草の成育防止方法を提供する。【解決手段】透水性及び屈曲性を有する布材又はオープニングが０．７〜１．２ｍｍの網材からなる草防止シート１１と、屈曲性を有する材料からなって草防止シート１１の周縁を補強する補強用縁部１２とを備え、更に、補強用縁部１２に所定ピッチＰで貫通孔１３ａ〜１３ｈを設けた草成育防止カバー１０を、草の成育を防止しようとする地面Ｈに載せて、貫通孔１３ａ〜１３ｈに釘状のアンカー材２４を入れて草成育防止カバー１０を固定する。【選択図】図２
2007097506.tif 000002
【特許請求の範囲】
【請求項１】
透水性及び屈曲性を有する布材又はオープニングが０．７〜１．２ｍｍの網材からなる草防止シートと、屈曲性を有する材料からなって前記草防止シートの周縁を補強する補強用縁部とを備え、更に、該補強用縁部に所定ピッチで貫通孔を設けたことを特徴とする草成育防止カバー。
【請求項２】
請求項１記載の草成育防止カバーにおいて、前記草防止シートは一辺が０．８〜１０ｍの範囲にある矩形であって、その４辺に前記補強用縁部が設けられていることを特徴とする草成育防止カバー。
【請求項３】
請求項１記載の草成育防止カバーにおいて、前記草防止シートは幅が０．８〜６ｍの範囲にある帯状となって、少なくともその幅方向両側に前記補強用縁部が設けられていることを特徴とする草成育防止カバー。
【請求項４】
透水性及び屈曲性を有する布材又はオープニングが０．７〜１．２ｍｍの網材からなる草防止シートと、屈曲性を有する材料からなって前記草防止シートの周縁を補強する補強用縁部とを備え、更に、該補強用縁部に所定ピッチで貫通孔を設けた草成育防止カバーを、草の成育を防止しようとする地面に載せて、前記貫通孔に釘状のアンカー材を入れて該草成育防止カバーを固定することを特徴とする草の成育防止方法。
【請求項５】
請求項４記載の草の成育防止方法において、前記草成育防止カバーは矩形であって、複数の前記草成育防止カバーが各周縁部を重ねて配置され、更に、隣合う前記草成育防止カバーを、共通の前記貫通孔を挿通する前記アンカー材によって地面に固定することを特徴とする草の成育防止方法。
【請求項６】
請求項４記載の草の成育防止方法において、前記草成育防止カバーは帯状であって、複数の前記草成育防止カバーが各周縁部を重ねて配置され、更に、隣合う前記草成育防止カバーを、共通の前記貫通孔を挿通する前記アンカー材によって地面に固定することを特徴とする草の成育防止方法。
【発明の詳細な説明】
【技術分野】
【０００１】
本発明は、法面等に草が繁茂するのを防止するための草成育防止カバー（草育成防止カバーともいう）及び草の成育防止方法に関する。
【背景技術】
【０００２】
従来、造園工事や法面の保護のために行う工事では、草が繁茂するのを防止する方法が行われている。例えば、特許文献１に記載の方法では、道路の中央分離帯等の盛土の上面及び法面を草の成育防止面とし、この草の成育防止面上に格子状部材として、水の透過性を維持しつつ草の芽がすり抜けるのを防止する孔を備えた防草ネットを敷設し、防草ネットは所定の位置に配置されたアンカーにより草の成育防止面に固定されている。なお、防草ネットは線材を縦横方向に組み合わせて、１本おきに上下するように交錯させて織ったもので、ハサミでも容易に切断することができるような材質で構成されており、また、アンカーは上端部を９０度折り曲げた略Ｌ字状のものとし、上端部で防草ネットの上面を押さえるようになっている。
【０００３】
【特許文献１】特開２００１−２３１３７７号公報（図１〜図３）
【発明の開示】
【発明が解決しようとする課題】
【０００４】
しかしながら、前記従来の方法では、アンカーの上端部が直接、防草ネットの線材に接触しているので、防草ネットの敷設中や使用中に、防草ネットに無理な力がかかると、アンカーとの接触部から防草ネットが破損するという問題があった。
また、草の成育防止面上の形状に合わせて防草ネットをハサミにより切断するので、切断する手間がかかると共に、草の成育防止面上の形状によっては、防草ネットの使用の歩留まりが低くなり、半端な部分が発生し、不経済であった。
【０００５】
本発明はかかる事情に鑑みてなされたもので、敷設中や使用中に、破損の恐れが無く、また、敷設作業が容易に行え、経済的である草成育防止カバー及び草の成育防止方法を提供することを目的とする。
【課題を解決するための手段】
【０００６】
前記目的に沿う本発明に係る草成育防止カバーは、透水性及び屈曲性を有する布材又はオープニングが０．７〜１．２ｍｍの網材からなる草防止シートと、屈曲性を有する材料からなって前記草防止シートの周縁を補強する補強用縁部とを備え、更に、該補強用縁部に所定ピッチで貫通孔を設けている。なお、オープニングは開口の大きさを表す数値であって、好ましくは、０．８〜１．１ｍｍであり、オープニングが１．２ｍｍを超えると、草の芽が通過し易くなり、０．７ｍｍ未満になると、雨水の透過性が悪くなり、水が草防止シートに溜まり易くなる。
本発明に係る草成育防止カバーにおいて、前記草防止シートは一辺が０．８〜１０ｍの範囲にある矩形（長方形及び正方形を含む。以下同じ）であって、その４辺に前記補強用縁部を設けてもよい。
ここで、草防止シートの一辺が１０ｍを超えると、製作が難しくなり、０．８ｍ未満では、敷設する場合手間がかかり、製造コスト及び設置コストが上昇する。
【０００７】
本発明に係る草成育防止カバーにおいて、前記草防止シートは幅が０．８〜６ｍの範囲にある帯状となって、少なくともその幅方向両側に前記補強用縁部を設けてもよい。
ここで、草防止シートの幅が６ｍを超えると、製作及び搬送が難しくなり、０．８ｍ未満では、敷設する場合手間がかかり、製造コスト及び設置コストが上昇する。
【０００８】
前記目的に沿う本発明に係る草の成育防止方法は、透水性及び屈曲性を有する布材又はオープニングが０．７〜１．２ｍｍの網材からなる草防止シートと、屈曲性を有する材料からなって前記草防止シートの周縁を補強する補強用縁部とを備え、更に、該補強用縁部に所定ピッチで貫通孔を設けた草成育防止カバーを、草の成育を防止しようとする地面に載せて、前記貫通孔に釘状のアンカー材を入れて該草成育防止カバーを固定する。なお、オープニングは、好ましくは、０．８〜１．１ｍｍであり、１．２ｍｍを超えると、草の芽が通過し易くなり、０．７ｍｍ未満になると、雨水の透過性が悪くなり、水が草防止シートに溜まり易くなる。
【０００９】
本発明に係る草の成育防止方法において、前記草成育防止カバーは矩形であって、複数の前記草成育防止カバーが各周縁部を重ねて配置され、更に、隣合う前記草成育防止カバーを、共通の前記貫通孔を挿通する前記アンカー材によって地面に固定してもよい。
本発明に係る草の成育防止方法において、前記草成育防止カバーは帯状であって、複数の前記草成育防止カバーが各周縁部を重ねて配置され、更に、隣合う前記草成育防止カバーを、共通の前記貫通孔を挿通する前記アンカー材によって地面に固定してもよい。
【発明の効果】
【００１０】
請求項１〜３記載の草成育防止カバーは、透水性及び屈曲性を有する布材又はオープニングが０．７〜１．２ｍｍの網材からなる草防止シートを使用しているので、雨水が草防止シート表面に溜まることがなく、また、敷設面の凸凹形状に合わせて配置でき、更に、草の芽が開口 (網目）を通り抜けることができないため、草の成長を抑制することができる。しかも、屈曲性を有する材料からなって草防止シートの周縁を補強する補強用縁部を備え、更に、補強用縁部に所定ピッチで貫通孔を設けているので、草防止シートの周縁が補強されて草防止シートの破損の恐れがなく、草防止シートと共に敷設面の凸凹形状に合わせて配置でき、かつ、貫通孔を介して敷設面に固定することができる。
【００１１】
特に、請求項２記載の草成育防止カバーにおいては、草防止シートは一辺が所定の範囲の矩形であるので、製作の歩留まりが高く、かつ、敷設面への取付け歩留まりが高いので、敷設面積当たりの製造コストを安価にできると共に、草防止シートの４辺に補強用縁部を設けているので、草防止シートの縁部の破損を確実に防止することができる。
【００１２】
請求項３記載の草成育防止カバーにおいては、草防止シートは幅が所定の範囲の帯状となっているので、例えば、道路の中央分離帯のように長くて幅が狭い敷設面の場合には、設置作業が簡単にでき、また、少なくとも草防止シートの幅方向両側に補強用縁部を設けているので、草防止シートの幅方向両側からの破損を確実に防止することができる。
【００１３】
請求項４〜６記載の草の成育防止方法は、透水性及び屈曲性を有する布材又はオープニングが０．７〜１．２ｍｍの網材からなる草防止シートと、屈曲性を有する材料からなって草防止シートの周縁を補強する補強用縁部とを備え、更に、補強用縁部に所定ピッチで貫通孔を設けた草成育防止カバーを、草の成育を防止しようとする地面に載せて、貫通孔に釘状のアンカー材を入れて草成育防止カバーを固定するので、草の成長を抑制でき、敷設面 (地面）の凸凹形状に合わせて配置できる草成育防止カバーを、草防止シートの周縁の破損を防止して、アンカー材を介して敷設面に固定することができる。
【００１４】
特に、請求項５記載の草の成育防止方法においては、草成育防止カバーは矩形であって、複数の草成育防止カバーが各周縁部を重ねて配置され、更に、隣合う草成育防止カバーを、共通の貫通孔を挿通するアンカー材によって地面に固定するので、周縁部の面積を小さくして敷設面を覆うことができ、かつ、少ないアンカー材を介して敷設面に固定することができる。
【００１５】
請求項６記載の草の成育防止方法においては、草成育防止カバーは帯状であって、複数の草成育防止カバーが各周縁部を重ねて配置され、更に、隣合う草成育防止カバーを、共通の貫通孔を挿通するアンカー材によって地面に固定するので、例えば、道路や鉄道の法面のように、敷設面の幅及び長さが大きい場合には、設置作業が容易にでき、また、周縁部の面積を小さくして敷設面を覆うことができると共に少ないアンカー材を介して敷設面に固定することができる。
【発明を実施するための最良の形態】
【００１６】
続いて、添付した図面を参照しつつ、本発明を具体化した実施の形態につき説明し、本発明の理解に供する。
ここで、図１は本発明の一実施の形態に係る草成育防止カバーを用いた草の成育防止方法の説明図、図２は同草成育防止カバーの平面図、図３は図２のａ部詳細図、図４は図２の矢視Ａ−Ａ断面図である。
【００１７】
図１及び図２に示すように、本発明の一実施の形態に係る草成育防止カバー１０は、草の成育を防止しようとする地面の一例である、道路Ｒの一側の法面Ｈに、縁部を重ねて複数枚固定して、草の繁茂を防止するものである。
図２〜図４に示すように、草成育防止カバー１０は、透水性及び屈曲性を有するオープニングが１．０ｍｍの網材からなる正方形状の草防止シート１１と、草防止シート１１の周縁を屈曲性を有する材料、例えば、ゴム製の材料で補強する補強用縁部１２とを備え、補強用縁部１２に所定ピッチＰで貫通孔１３ａ〜１３ｈを設けて構成されている。以下、これらについて詳しく説明する。
【００１８】
一辺の長さがＮ（例えば、０．８〜１０ｍ、本実施の形態では、例えば０．９ｍ、１．８ｍ、２．７ｍ、３．６ｍ）の草防止シート１１の周縁部２０ (図４参照）には、枠状の補強用縁部１２が設けられている。補強用縁部１２は、草防止シート１１の周縁部２０を上下方向に挟み、幅がＷ（例えば、２０〜１００ｍｍ、本実施の形態では４０ｍｍ）で細長板状の４組の対となる縁部材１４〜１７、１４ａ〜１７ａの隣合う両端を接続して一辺の長さがＮ−Ｗ（例えば、０．７〜１０ｍ、本実施の形態では０．８６ｍ）に構成されている。縁部材１４〜１７、１４ａ〜１７ａの厚さはＴ（例えば、２〜１０ｍｍ、本実施の形態では５ｍｍ）としている。
【００１９】
図３に示すように、草防止シート１１は、線径がＤ（例えば、１〜５ｍｍ、本実施の形態では１ｍｍ）のステンレス製の線材１８を縦横方向に組み合わせて、１本おきに上下するように交錯させて織ったものから構成されている。
草防止シート１１のオープニング、即ち、平行に隣合う線材１８の間隔はＫ（０．７〜１．２ｍｍ、本実施の形態では１ｍｍ）としている。なお、草防止シート１１の線材１８の線径Ｄは、人が踏んでも破れない太さとする。
【００２０】
図４に示すように、補強用縁部１２の縁部材１７、１７ａ（１４〜１６、１４ａ〜１６ａも同じ）は、断面が矩形状に形成されており、草防止シート１１の周縁部２０を挟んで草防止シート１１の周縁部２０に接着剤を介して固定されている。かかる構成によって、草防止シート１１に無理な力がかかっても、補強用縁部１２により草防止シート１１が破損することを防止することができる。
【００２１】
図２に示すように、補強用縁部１２の四隅部及び各縁部材１４〜１７、１４ａ〜１７ａの長手方向の中心部には、合計８個の貫通孔１３ａ〜１３ｈが形成されており、貫通孔１３ａ〜１３ｈは、平面視して正方形の４つの頂点及び四辺上の中心、又は３等分以上した位置に位置する。
図４に示すように、補強用縁部１２の貫通孔１３ｈ（１３ａ〜１３ｇも同じ）の周囲はステンレス製のリング部材２１で補強されている。リング部材２１は短尺のパイプ材の両端部を外側に拡径した構造で、内径をｄi としている。かかる構成によって、リング部材２１により貫通孔１３ａ〜１３ｈの周囲の縁部材１４〜１７、１４ａ〜１７ａが補強されるので、貫通孔１３ａ〜１３ｈ付近の縁部材１４〜１７、１４ａ〜１７ａ及び草防止シート１１の破損を防止することができる。
【００２２】
図４に二点鎖線で示すように、補強用縁部１２の貫通孔１３ｈ（１３ａ〜１３ｇも同じ）には、上端部に上側に屈曲した皿状の掛止部２２と、掛止部２２の下面中央に一体的に垂直に固定された本体部２３とを備えた釘状のアンカー材２４が挿通することによって、草成育防止カバー１０を法面Ｈに固定することができるようになっている。アンカー材２４の本体部２３の外径ｄo （＜ｄi ）は、例えば、５〜２０ｍｍ (本実施の形態では１０ｍｍ）で、長さＭは、例えば、２５〜１００ｃｍ (本実施の形態では５０ｃｍ）である。
【００２３】
次に、草成育防止カバー１０を用いた本発明の一実施の形態に係る草の成育防止方法について、図１を参照しながら説明する。なお、説明を簡略にするため、草成育防止カバー１０と同一構成の草成育防止カバー１０ａ〜１０ｉを使用して説明する。
複数の草成育防止カバー１０ａ〜１０ｉを各周縁部（即ち、補強用縁部１２）を重ねて配置し、更に、隣合う草成育防止カバー１０ａ〜１０ｉを、共通の貫通孔１３ａ〜１３ｈを挿通するアンカー材２４によって地面に固定する。即ち、具体的には以下に示すようになる。
まず、法面Ｈの上端部左端に草成育防止カバー１０ａを配置し、貫通孔１３ａ、１３ｂ及び１３ｈにそれぞれアンカー材２４を挿通して法面Ｈに固定する。
【００２４】
草成育防止カバー１０ｂの縁部材１７、１７ａ（周縁部）を草成育防止カバー１０ａの縁部材１５、１５ａ（周縁部）に重ねて配置し、共通の（ラップした）貫通孔１３ａ及び１３ｃ、共通の貫通孔１３ｈ及び１３ｄ、貫通孔１３ｂにそれぞれアンカー材２４を挿通して法面Ｈに固定する。
その後、草成育防止カバー１０ｄの縁部材１４、１４ａ（周縁部）を草成育防止カバー１０ａの縁部材１６、１６ａ（周縁部）に重ねて配置し、共通の貫通孔１３ａ及び１３ｇ、共通の貫通孔１３ｂ及び１３ｆ、貫通孔１３ｈにそれぞれアンカー材２４を挿通して法面Ｈに固定する。
【００２５】
更に、草成育防止カバー１０ｅの縁部材１４、１４ａを草成育防止カバー１０ｂの縁部材１６、１６ａに重ねて配置すると共に、草成育防止カバー１０ｅの縁部材１７、１７ａを草成育防止カバー１０ｄの縁部材１５、１５ａに重ねて配置し、共通の貫通孔１３ａ、１３ｃ及び１３ｇ、共通の貫通孔１３ｂ及び１３ｆ、共通の貫通孔１３ｈ及び１３ｄにそれぞれアンカー材２４を挿通して法面Ｈに固定する。
【００２６】
以下、同じ要領により、草成育防止カバー１０ｃ及び１０ｆ〜１０ｉを含め、所定の枚数の草成育防止カバー１０を法面Ｈの概略上側から下側に沿って配置して、アンカー材２４により法面Ｈに固定する。なお、法面Ｈの上側から下側に沿って順次、所定の枚数の草成育防止カバー１０を配置するので、敷設作業が容易にできる。
【００２７】
本発明は前記した実施の形態に限定されるものではなく、本発明の要旨を変更しない範囲での変更は可能であり、例えば、前記したそれぞれの実施の形態や変形例の一部又は全部を組み合わせて本発明の草成育防止カバー及び草の成育防止方法を構成する場合も本発明の権利範囲に含まれる。
【００２８】
草防止シート１１の４辺に補強用縁部１２を設けたが、これに限定されず、必要に応じて、対向する２辺又は３辺に補強用縁部を設けることもできる。
草防止シート１１、草成育防止カバー１０を正方形状に形成したが、これに限定されず、必要に応じて、長方形状に形成することもでき、更に、三角形状又は五角形状以上に形成することもできる。また、帯状の草防止シートを使用して、少なくともその幅方向両側に補強用縁部を設けて帯状の草成育防止カバーとすることもできる。この場合、草防止シートの幅を０．８〜６ｍの範囲とし、長さを５０ｍ程度（２０〜２００ｍ）でロール巻きにすることもできる。更に、適当な補強用の線材を草防止シートの周囲に設けたり、また、草防止シート内に格子状に設けることもできる。
【００２９】
草成育防止カバー１０の一辺の長さをＮ（＝０．９ｍ）としたが、草成育防止カバーの使用歩留まりの向上を図るために、一辺の長さがＮの整数（２、３、４等）倍の草成育防止カバーを各種用意し、法面Ｈの形状及び大きさに応じて、種々のサイズの草成育防止カバーを組み合わせて敷設することができる。
複数の草成育防止カバー１０を、周縁部を重ねて配置したが、これに限定されず、必要に応じて、一枚の草成育防止カバーを配置したり、また、複数の草成育防止カバーを、周縁部を重ねることなく配置することもできる。
【００３０】
草防止シート１１をステンレス製の網材で構成したが、これに限定されず、必要に応じて、踏んでも破損しない太さであれば、例えば、合成樹脂製の網材とすることもでき、更に、網材以外にも、透水性及び屈曲性を有する布材、不織布、織布及び透水性プラスチックのいずれかで構成することができる。
補強用縁部１２をゴム製としたが、これに限定されず、必要に応じて、合成樹脂製又はその他の屈曲性を有する材質とすることもできる。
【００３１】
補強用縁部１２の貫通孔１３ａ〜１３ｈの周囲にリング部材２１を取付けたが、これに限定されず、状況に応じて、例えば、縁部材の強度が大きい場合には、リング部材を省略することもできる。
草成育防止カバー１０に８個の貫通孔１３ａ〜１３ｈを設けたが、これに限定されず、必要に応じて、７個以下又は９個以上の貫通孔を設けることもできる。
貫通孔１３ａ〜１３ｈにアンカー材２４を入れて草成育防止カバー１０を固定したが、これに限定されず、必要に応じて、貫通孔１３ａ〜１３ｈに紐、ロープ、ワイヤ等を入れてこれを固定具（例えば、枕木）に取付け、固定具を介して地面に固定することもできる。
【００３２】
草防止シート１１の線材１８の色については言及しなかったが、透光性に優れた、緑、青、黒が好ましい。
草防止シート１１の周縁部２０を補強用縁部１２の対となる縁部材１４〜１７、１４ａ〜１７ａで挟んで固定する構造としたが、これに限定されず、必要に応じて、その他の構造、例えば、一枚の板材からなる縁部材に凹状溝部を形成し、凹状溝部に草防止シートの周縁部を嵌入して接着剤を介して固定したり、また、一枚の板材からなる縁部材のいずれか一面に草防止シートの周縁部を接着剤を介して固定することもできる。草成育防止カバーを法面の上側から下側に、かつ左側から右側に順次配置していったが、下から上へ、右から左へ地面に配置することもできる。
【図面の簡単な説明】
【００３３】
【図１】本発明の一実施の形態に係る草成育防止カバーを用いた草の成育防止方法の説明図である。
【図２】同草成育防止カバーの平面図である。
【図３】図２のａ部詳細図である。
【図４】図２の矢視Ａ−Ａ断面図である。
【符号の説明】
【００３４】
１０、１０ａ〜１０ｉ：草成育防止カバー、１１：草防止シート、１２：補強用縁部、１３ａ〜１３ｈ：貫通孔、１４〜１７、１４ａ〜１７ａ：縁部材、１８：線材、２０：周縁部、２１：リング部材、２２：掛止部、２３：本体部、２４：アンカー材
【図１】
2007097506.tif 000003
【図２】
2007097506.tif 000004
【図３】
2007097506.tif 000005
【図４】
2007097506.tif 000006